(57)【要約】【課題】  利用者のアップ写真と全身写真の双方を十分な光度の下で撮影することが可能な自動写真撮影装置を提供する。【解決手段】  少なくとも一の撮影手段を有する筐体と、利用者を収容するための撮影ブースであって、前記筐体から離間する方向に一定の奥行きを有する撮影ブースとを備える自動写真撮影装置において、前記撮影ブース内における前記中間位置よりも前方の部位を照明する第１照明手段及び前記撮影ブース内における前記中間位置よりも後方の部位を照明する第２照明手段を前記撮影ブースの奥行き方向の中間位置に配置さする。【選択図】  図１
2006313175.tif 000002
【特許請求の範囲】
【請求項１】
少なくとも一の撮影手段を有する筐体と、
利用者を収容するための撮影ブースであって、前記筐体から離間する方向に一定の奥行きを有する撮影ブースとを備える自動写真撮影装置であって、
前記撮影ブースの奥行き方向の中間位置に配置され、
前記撮影ブース内における前記中間位置よりも前方の部位を照明する第１照明手段と、
前記撮影ブース内における前記中間位置よりも後方の部位を照明する第２照明手段と、
を備えることを自動写真撮影装置。
【請求項２】
前記第１照明手段及び前記第２照明手段は、共通の発光部材からの照明光を照射するものであることを特徴とする請求項１に記載の自動写真撮影装置。
【請求項３】
前記撮影手段の撮影視野内へのカーテンの展開と収納を行う背景手段が、前記中間位置に設置されていることを特徴とする請求項１又は２に記載の自動写真撮影装置。
【請求項４】
前記背景手段は、前記撮影ブースの天井部に配置され、
前記背景手段が前記カーテンをロール状に巻き取ることにより前記カーテンの収納が行われ、
前記背景手段がロール状に巻かれた前記カーテンを巻き戻すことにより前記カーテンの展開が行われることを特徴とする請求項３に記載の自動写真撮影装置。
【請求項５】
前記背景手段が、複数の前記カーテンを有することを特徴とする請求項３又は４に記載の自動写真撮影装置。
【請求項６】
前記撮影ブース内にジャングルジム構造体が設置されていることを特徴とする請求項１〜５のいずれか一項に記載の自動写真撮影装置。
【請求項７】
前記ジャングルジム構造体が、少なくとも２本の支柱と、床面からそれぞれ異なる高さにおいて前記２本の支柱間に差し渡された下方横棒部材及び上方横棒部材を有することを特徴とする請求項６に記載の自動写真撮影装置。
【請求項８】
前記下方横棒部材は、利用者が床面に足を付けて腰掛けることができる程度の高さにおいて前記２本の支柱間に差し渡されていることを特徴とする請求項７に記載の自動写真撮影装置。
【請求項９】
前記上方横棒部材は、前記下方横棒部材の上に両足を載せて起立した利用者が手を添えることができる程度の高さにおいて前記２本の支柱間に差し渡されていることを特徴とする請求項７又は８に記載の自動写真撮影装置。
【請求項１０】
前記ジャングルジム構造体が、前記２本の支柱よりも前記筐体に近い位置に立設された少なくとも１本の追加的な支柱、及び、前記２本の支柱の少なくともいずれか一方と前記追加的な支柱との間に、床面からそれぞれ異なる高さにおいて差し渡された追加的な下方横棒部材及び追加的な上方横棒部材を更に備えることを特徴とする請求項６〜９のいずれか一項に記載の自動写真撮影装置。
【発明の詳細な説明】
【技術分野】
【０００１】
本発明は、撮影ブース内において利用者の写真を撮影する自動写真撮影装置に関し、特に、利用者のアップ写真と全身写真の双方を十分な照明の下で撮影することが可能な自動写真撮影装置に関する。
【背景技術】
【０００２】
従来より、ＣＣＤカメラなどの撮影手段を有する筐体と、利用者を収容するための撮影ブースとを備え、撮影手段により撮影した利用者の写真をプリントして提供する自動写真撮影装置が知られている。
【０００３】
このような自動写真撮影装置の利用度を高めるためには、いかに多様な態様での写真撮影を提供できるかが重要であり、そのために、利用者が筐体に接近してアップの撮影を行ったり、筐体から離れて全身の撮影を行ったりできるようにされているものがある。
【０００４】
しかし、従来の自動写真撮影装置では、多くの場合、撮影の際に利用者を照明するための照明装置は撮影手段が取り付けられた筐体部分に設けられていたために、アップの撮影では利用者に照射される照明の強度を十分に強くすることはできるものの、全身の撮影の際には、照明手段から利用者への距離が大きくなるために、利用者に照射される照明の強度が不足して写りが暗くなるなど、利用者が満足できる写真を提供できない問題があった。
【特許文献１】特開２００４−３４１３２９号公報
【発明の開示】
【発明が解決しようとする課題】
【０００５】
本発明は、上記の問題に鑑みてなされたものであり、利用者のアップ写真と全身写真の双方を十分な照明の下で撮影することが可能な自動写真撮影装置を提供することをその目的とする。
【０００６】
また本発明は、利用者が従来の自動写真撮影装置では取ることができなかったような面白味のあるポーズで写真撮影を行うことが可能な自動写真撮影装置を提供することをもその目的とする。
【０００７】
また本発明は、撮影ブース内の空間の立体的な利用を可能にすることで、より大人数の利用者を一度に撮影することが可能な自動写真撮影装置を提供することをもその目的とする。
【０００８】
また本発明は、より大人数の利用者が、それぞれ面白味のあるポーズで写真撮影を行うことが可能な自動写真撮影装置を提供することをもその目的とする。
【課題を解決するための手段】
【０００９】
本発明は、上記の問題点を解決したものであり、
少なくとも一の撮影手段を有する筐体と、
利用者を収容するための撮影ブースであって、前記筐体から離間する方向に一定の奥行きを有する撮影ブースとを備える自動写真撮影装置であって、
前記撮影ブースの奥行き方向の中間位置に配置され、
前記撮影ブース内における前記中間位置よりも前方の部位を照明する第１照明手段と、
前記撮影ブース内における前記中間位置よりも後方の部位を照明する第２照明手段と、
を備えることを自動写真撮影装置である。
【００１０】
即ち、本発明では、撮影ブースの奥行き方向の中間位置に第１照明手段、第２照明手段が配置され、第１照明手段が撮影ブース内における中間位置よりも前方（撮影ブース内における中間位置よりも筐体に近い側）の部位を照明し、第２照明手段が撮影ブース内における中間位置よりも後方（撮影ブース内における中間位置よりも筐体から遠い側）の部位を照明するようになっているために、利用者が筐体に近付いてアップ写真を撮影する場合には第１照明手段により、利用者が筐体から遠ざかって全身写真を撮影する場合は第２照明手段により、それぞれ十分な強度の照明を利用者に照射することが可能になり、アップ写真と全身写真の双方を十分な照明の下で撮影することが可能になる。
【００１１】
本発明の第１照明手段、第２照明手段には、フラッシュなどの発光部材が使用されるが、第１照明手段、第２照明手段をそれぞれ別々の発光部材からの照明光を照射するものとすることも可能であり、第１照明手段、第２照明手段を共通の発光部材からの照明光を照射するものとすることで装置構成を簡略化し、装置コストを低減することも可能である。
【００１２】
また本発明の自動写真撮影装置では、撮影手段の撮影視野内へのカーテンの展開と収納を行う背景手段を撮影ブースの奥行き方向の中間位置に配置することも可能であり、この場合には、利用者が装置に近付いてアップ写真を撮影する際に、背景としてカーテンを使用するか否かによって写真の雰囲気に変化を持たせることが可能となり、多様性に富んだ写真撮影を行うことが可能な自動写真撮影装置が実現される。
【００１３】
また背景手段を撮影ブースの天井部に配置し、背景手段がカーテンをロール状に巻き取ることによりカーテンの収納が行われ、背景手段がロール状に巻かれたカーテンを巻き戻すことによりカーテンの展開が行われるようにすることが可能である。
【００１４】
またこの背景手段が複数のカーテンを有するものとすることで、アップ写真を撮影する際の写真の多様性を一層高めることが可能となる。
【００１５】
本発明の自動写真撮影装置では、撮影ブース内にジャングルジム構造体を設置し、或いは更に、このジャングルジム構造体を、少なくとも２本の支柱と、床面からそれぞれ異なる高さにおいてこの２本の支柱間に差し渡された下方横棒部材及び上方横棒部材から構成することが可能であり、利用者はこのようなジャングルジム構造体を使用することで、従来の自動写真撮影装置では行い得なかったポーズでの写真撮影を行うことが可能となり、利用者が写真撮影をより楽しく感じることができ、また、より面白味のある写真を撮影できる自動写真撮影装置が実現される。
【００１６】
また、上記下方横棒部材を、利用者が床面に足を付けて腰掛けることができる程度の高さに設置し、或いは更に、上方横棒部材を、下方横棒部材の上に両足を載せて起立した利用者が手を添えることができる程度の高さに設置することで、利用者がジャングルジム構造体に座ったり、登ったり、ぶら下がったりするなどの従来の自動写真撮影装置では行い得なかったポーズでの写真撮影を行い得る自動写真撮影装置が提供される。
【００１７】
また上記ジャングルジム構造体は、上記２本の支柱よりも筐体に近い位置に立設された少なくとも１本の追加的な支柱を備え、更に、上記２本の支柱のすくなくともいずれか一方とこの追加的な支柱との間に、床面からそれぞれ異なる高さにおいて差し渡された追加的な下方横棒部材及び追加的な上方横棒部材を更に備えることも可能であり、この場合には、撮影ブース内の空間を立体的に使うことが可能となり、従来の自動写真撮影装置では行い得なかった多人数での写真撮影が可能な自動写真撮影装置、或いは更に、各利用者のそれぞれが、ジャングルジム構造体に座ったり、登ったり、ぶら下がったりするなどの従来の自動写真撮影装置では行い得なかったポーズでの写真撮影を行い得る自動写真撮影装置が実現される。
【００１８】
なお、上記２本の支柱と追加的な支柱は、正三角形状に配置することも可能であり、二等辺三角形や不等辺三角形状に配置することも可能であり、更に、追加的な支柱を２以上設けて、上記２本と追加的な支柱を４角形状や５角形状などに配置することも可能である。
【００１９】
また、上記下方横棒部材、上方横棒部材、追加的な下方横棒部材、追加的な上方横棒部材は、必ずしも直線状の部材である必要はなく、これらに湾曲した部材を用いることも可能である。
【発明を実施するための最良の形態】
【００２０】
以下、本発明の実施の形態を、添付図面を参照して説明する。
【００２１】
図１は本発明の一実施形態に係る自動写真撮影装置１の全体の構成を示す斜視説明図である。また図２、３はそれぞれ、この自動写真撮影装置１の撮影ブース３０内から見た第１筐体１０の正面図及びジャングルジム構造体５０の正面図を示している。
【００２２】
図示されるように、本発明の自動写真撮影装置１は、主として第１筐体１０、第２筐体２０、側壁３１及びジャングルジム構造体５０から構成されている。
【００２３】
第１筺体１０には、利用者を撮影するためのＣＣＤカメラ１１と、当該ＣＣＤカメラ１１により撮影した映像をリアルタイムで表示する液晶モニタ１２が設けられ、その下方には、利用者に対する案内を表示し、或いは、利用者からの操作入力を受け付けるためのタッチパネル式モニタ１３が設けられている。
【００２４】
タッチパネル式モニタ１３の下方には、横方向に延びる２本の横棒部材１４が突設されており、利用者は横棒部材１４に片足を掛けたり、或いは、両足を乗せて立ち上がるなど、この横棒部材１４を用いることで面白いポーズで写真撮影を行うことが可能になっている。
【００２５】
また第１筐体１０の前面には、乳半のボードを介して利用者に照明光を照射するための照明装置１５ａ〜１５ｄ、音楽や効果音などを出力させるためのスピーカー１６及び利用料金を受け入れるためのコイン投入口１７が設けられている。
【００２６】
第２筐体２０は、略直方体状の形状を有しており、第１筐体１０の背面側に配置されている。なお第２筐体２０は、第１筐体とは物理的に分離した個別の筐体であっても構わないが、第１筐体１０と第２筐体２０が単一の筐体を構成していても構わない。
【００２７】
この第２筐体２０の両側面２１ａ、２１ｂには、それぞれタッチパネル式モニタ２２及びタッチペン２３ａ、２３ｂのセットが設置されており、このセットを用いて２組の利用者がＣＣＤカメラ１１により撮影した写真画像に対する編集などの入力を同時に行い得るようになっている。また、第１筐体１０の上部からこの第２筐体２０を取り囲むようにフレーム２４が張り出しており、このフレーム２４にカーテンなどを吊下することで、上記の編集などの入力を行うためのスペースを外部から区画できるようになっている。
【００２８】
また第２筐体２０の内部にはプリンター７２（図８）が配置されており、上記編集が加えられた写真画像を印刷して第２筐体２０の背部に設けられた写真排出口２５から利用者に提供するようになっている。
【００２９】
撮影ブース３０は、第１筐体１０、側壁３１ａ、３１ｂ及び第１筐体１０に対向する位置に配置されたジャングルジム構造体５０に囲われた空間であり、撮影ブース３０への外部光の入射を制限するために、撮影ブース３０の天井部３２には遮光性の布又は板材が張り渡されるようになっており、また、両側壁３１ａ、３１ｂの上部からジャングルジム構造体５０を取り囲むように張り出したフレーム３３に遮光性のカーテンを吊下できるようになっている。なお、両側壁３１とジャングルジム構造体５０との間隙が撮影ブース３０への出入口３４とされており、利用者はフレーム３３から吊下されるカーテンをめくって撮影ブース３０への入退室を行うようになっている。
【００３０】
また撮影ブース３０の天井部３２の第１筐体１０とジャングルジム構造体５０とのほぼ中間の位置には、ロール状に巻かれたそれぞれ異なる色彩や模様などが施された複数種類のカーテンを収容するカーテンボックス３５が配置されており、カーテン制御装置６８（図８）からの制御に従ってこれらのカーテンのいずれかを巻き戻してＣＣＤカメラ１１の撮影視野内に展開し、或いは、これを巻き取って収容することで、撮影の毎に背景として使用するカーテンを変更できるようになっている。
【００３１】
撮影ブース３０の天井部３２には、このカーテンボックス３５から張り出すようにして取り付けられた照明装置３６及びジャングルジム構造体５０の上部から張り出すようにして取り付けられた照明装置３７が載置されている。この照明装置３６は主として撮影ブース３０内のカーテンボックス３５から第１筐体１０にかけての部分にフラッシュ光を照射し、照明装置３７は主として撮影ブース３０内のカーテンボックス３５からジャングルジム構造体５０にかけての部分にフラッシュ光を照射する。
【００３２】
また撮影ブース３０の天井部３２には、第１筐体１０の上部からカーテンボックス３５に差し渡された２本の縦棒部材３８とこの縦棒部材３８間に差し渡された横棒部材３９が取り付けられており、利用者はこの縦棒部材３８、横棒部材３９に雲梯の要領でぶら下がるなど、縦棒部材３８、横棒部材３９を用いることで面白いポーズで写真撮影を行うことが可能になっている。
【００３３】
また、両側壁３１ａ、３１ｂの第１筐体１０とジャングルジム構造体５０とのほぼ中間の位置（カーテンボックス３５が配置されている位置とほぼ同じ位置）には、撮影ブース３０内にフラッシュ光を照射するための照明装置４０が配置されている。
【００３４】
図４は、この照明装置４０の構成を示す斜視説明図（ａ）及び断面説明図（ｂ）である。
【００３５】
図４に示されるように、この照明装置４０は、キセノンランプなどから構成される発光体４１と、それぞれ斜め前方及び斜め後方に向けて発光体４１からのフラッシュ光を出射する発光窓４２ａ、４２ｂを備えている。
【００３６】
ここで、発光体４１及び発光窓４２ａは、フラッシュ光を撮影ブース３０内の主としてカーテンボックス３５から第１筐体１０にかけての部分に照射する本発明の第１照明手段であり、発光体４１及び発光窓４２ｂは、フラッシュ光を撮影ブース３０内の主としてカーテンボックス３５からジャングルジム構造体５０にかけての部分に照射する本発明の第２照明手段である。
【００３７】
図５は、ジャングルジム構造体５０の構成を示す斜視説明図である。
【００３８】
図示されるように、ジャングルジム構造体５０は、鉛直に立設された第１〜第３支柱５１ａ〜５１ｃ及びこの支柱５１ａ〜５１ｃ間に水平に張り渡された下方横棒部材５２ａ及び２つの上方横棒部材５２ｂ、５２ｃを有している。
【００３９】
より具体的には、第１支柱５１ａ−第２支柱５１ｂ間、第１支柱５１ａ−第３支柱５１ｃ間、第２支柱５１ｂ−第３支柱５１ｃ間のそれぞれに、下方横棒部材５２ａ１、５２ａ２、５２ａ３が張り渡されており、第１支柱５１ａ−第２支柱５１ｂ間に上方横棒部材５２ｂ１が、第１支柱５１ａ−第３支柱５１ｃ間に上方横棒部材５２ｂ２、５２ｃ２が、第２支柱５１ｂ−第３支柱５１ｃ間に上方横棒部材５２ｂ３、５２ｃ３が張り渡されている。
【００４０】
この下方横棒部材５２ａの取り付け位置は、床面から例えば２０〜６０ｃｍ程度の高さとし、上方横棒部材５２ｂ、５２ｃの取り付け位置は、床面から例えば１５０〜２００ｃｍ程度の高さとすることができ、これにより、利用者が下方横棒部材５２ａに座ったり、上方横棒部材５２ｂ、５２ｃにぶら下がったり、上方横棒部材５２ｂ、５２ｃに掴まって下方横棒部材５２ａの上に立ち上がったりなど様々な面白いポーズで写真撮影を行うことが可能になる。
【００４１】
またこのジャングルジム構造体５０では、上記のような高さに取り付けられた下方横棒部材５２ａ及び上方横棒部材５２ｂ、５２ｃが、第１、第２支柱５１ａ、５１ｂから第３支柱５１ｃに向けて、即ち、撮影ブース３０の中央に向けて張り出した構造となっているために、利用者がジャングルジム構造体５０周辺の空間を立体的に使用することが可能となっており、このために、例えば、図６に示すような態様で、従来の自動写真撮影装置では不可能であったような多人数での撮影を行うことができ、しかも、それぞれの利用者が面白味のあるポーズを取って写真撮影を行うことができる。
【００４２】
なおこのような目的を達成するために、下方横棒部材５２ａ、上方横棒部材５２ｂ、５２ｃの長さは、５０〜１２０ｃｍ程度とすることが好ましく、支柱５１ｃが支柱５１ａ、５１ｂに対して３０〜１００ｃｍ程度、第１筐体１０側の位置に立設されていることが好ましい。
【００４３】
図７（ａ）〜（ｄ）は、本発明に係るジャングルジム構造体の他の態様を示す説明図である。
【００４４】
図７（ａ）〜（ｃ）に示されるように、支柱５１の本数及び配置を適宜調整し、或いは、下方横棒部材５２ａ、上方横棒部材５２ｂ、５２ｃに湾曲した部材を用いるなどにより、下方横棒部材５２ａ、上方横棒部材５２ｂ、５２ｃを四角形、五角形、円形などの形状としたジャングルジム構造体５０ａ〜５０ｃとすることも可能であり、この場合もジャングルジム構造体５０について上記したと同様の作用効果を達成することができる。
【００４５】
また図７（ｄ）に示されるように、支柱５１の本数を２本とし、それぞれ１本の下方横棒部材５２ａ、上方横棒部材５２ｂがこの２本の支柱間に張り渡された構成のジャングルジム構造体５０ｄを使用することも可能であり、この場合も利用者が下方横棒部材５２ａに座ったり、上方横棒部材５２ｂにぶら下がったり、上方横棒部材５２ｂに掴まって下方横棒部材５２ａの上に立ち上がったりなど、面白いポーズでの写真撮影が可能になる点で、上記ジャングルジム構造体５０と同様の作用効果を発揮することができる。
【００４６】
なお、横棒部材１４、縦棒部材３８、横棒部材３９及びジャングルジム構造体５０、５０ａ〜５０ｄを構成する支柱５１、下方横棒部材５２ａ及び上方横棒部材５２ｂ、５２ｃには、上記のような使用態様に耐えうる強度を有する任意の材質の部材を使用することが可能である。
【００４７】
図８は、自動写真撮影装置１のシステム構成を示す説明図である。
【００４８】
パーソナルコンピュータ６０は、バス６１により相互に接続されるＣＰＵ６２、ＲＯＭ６３、ＲＡＭ６４、インターフェース（Ｉ／Ｆ）６５を備えている。インターフェース６５にはハードディスク６６、ＣＤ−ＲＯＭドライブ６７とともに、後述の各種外部機器が接続されている。
【００４９】
ハードディスク６６には、自動写真撮影装置１の全体の動作、処理等を制御するためのプログラムや、タッチパネル式モニタ１３、２２、スピーカー１６から映像、音響を再生するための映像データ、音響データの他、撮影セッションにおいて撮影された画像データ、編集セッションにおいて使用される各種の編集用画像、演出画像などが記憶される。
【００５０】
ＲＯＭ６３は、パーソナルコンピュータを制御するための基本的なプログラムを格納している。
【００５１】
ＲＡＭ６４は、編集対象の画像や、利用者が入力した編集の内容などの作業データを一時的に記憶するものである。
【００５２】
インターフェース６５には、更にＣＣＤカメラ１１、タッチパネル式モニタ１３、２２、タッチペン２３ａ、２３ｂ、カーテンボックス３５のカーテンの展開、収納を制御するカーテン制御装置６８、照明装置１５ａ〜１５ｄ、３６、３７、４０を制御する照明制御装置６９、スピーカー１６に接続された音響制御装置７０、コイン処理装置７１、プリンター７２などの外部機器が接続されており、ＣＰＵ６２とこれら各機器との間における信号の授受が可能とされている。
【００５３】
以下、上記自動写真撮影装置１の動作を図９に示すフローチャートに従って説明する。
【００５４】
コイン処理装置７１から所定金額のコイン検知信号をＣＰＵ６２が受信した場合、ＣＰＵ６２は、「撮影を始めるよ。撮影の後は、右のブースで落書きだよ」のようなプレイ説明をタッチパネル式モニタ１３に表示させ（ステップＳ１）た後に撮影セッションを開始させる。
【００５５】
撮影セッションに入ると、タッチパネル式モニタ１３上には、図１０（ａ）に示すような撮影モード選択画面８０が表示されて利用者による撮影モード選択の受付が行われる（ステップＳ２）。
【００５６】
撮影モード選択画面８０には、図示されるように、プログラム制御で自動的に背景のセッティングや写真撮影が進行する「オートモード」と利用者がマニュアルで背景のセッティングを指定しながら撮影を行う「マニュアルモード」の選択肢が表示されている。この撮影モード選択画面８０では、いずれかの選択肢を指先でタッチすることでその選択肢が選択状態となって反転表示され、その後決定ボタンをタッチすることで選択肢の選択が確定するようになっている。
【００５７】
ステップＳ２において「オートモード」が選択された場合には、ＣＰＵ６２は、ハードディスクに記録されたプログラムに従って、下記の態様でアップ撮影（ステップＳ３）と全身撮影（ステップＳ４）とを所定回数繰り返して実行する。
【００５８】
即ち、アップ撮影（ステップＳ３）では、最初に「アップで撮るよ。カメラに近付いて！」など利用者を照明装置４０及びカーテンボックス３５が設置されている中間位置よりも前方の位置（第１筐体１０に近い位置）に誘導するためのインストラクションがスピーカー１６から出力され、同時に、カーテン制御装置６８からの指令に従ってカーテンボックス３５から予め定められたいずれかのカーテンを撮影視野内に展開させることで背景のセッティングが行われる（ステップＳ３−１）。
【００５９】
この間、ＣＣＤカメラ１１により撮影されたスルーの映像が、液晶モニタ１２に表示されており、利用者は、この映像を見ながら自身のポーズ決めを行う。なお、中間位置よりも前方には、横棒部材１４、縦棒部材３８、横棒部材３９などが取り付けられているため、利用者は、横棒部材１４に足を掛け、或いは、縦棒部材３８、横棒部材３９にぶら下がるなど、これらを用いて面白いポーズを取ることができる。
【００６０】
ＣＰＵ６２は、カーテンのセッティングが完了すると、「３、２、１」のようなカウントダウン音声をスピーカー１６から出力させた後に、照明装置１５ａ〜１５ｄ、３６、３７、４０を発光させてＣＣＤカメラ１１による写真撮影を実行し、撮影された画像をハードディスク６６に記録する（ステップＳ３−２）。
【００６１】
このとき、撮影ブース３０内の中間位置よりも前方の部分には、照明装置３６及び発光窓４２ａからのフラッシュ光が照射されるため、撮影に必要な十分な強さで利用者を照明することができる。
【００６２】
ステップＳ３−２における写真撮影は、例えば３回繰り返して実行され、その後、全身撮影（ステップＳ４）が実行される。
【００６３】
ステップＳ４では、「全身で撮るよ。うしろに下がってね！」など利用者を照明装置４０及びカーテンボックス３５が設置されている中間位置よりも後方の位置（第１筐体１０から遠い位置）に誘導するためのインストラクションをスピーカー１６から出力させ、同時に、展開されている全てのカーテンをカーテンボックス３５に収容する（ステップＳ４−１）。
【００６４】
利用者は、上記インストラクションに従って、撮影ブース３０内の中間位置よりも後方の位置に移動し、ＣＣＤカメラ１１により撮影された映像を液晶モニタ１２上で確認しながら、ポーズ決めを行う。このとき、撮影ブース３０の後方にはジャングルジム構造体５０が設置されているため、利用者は、下方横棒部材５２ａに腰掛けたり、上方横棒部材５２ｂ、５２ｃに掴まって下方横棒部材５２ａの上に立ち上がるなど、ジャングルジム構造体５０を用いて面白いポーズを取ることが可能である。また、図６に示すような態様で、４〜６人程度の利用者がジャングルジム構造体５０を利用して、一度に写真撮影を行うことも可能である。
【００６５】
ＣＰＵ６２は、カーテンの収容が完了すると、「３、２、１」などのカウントダウン音声をスピーカー１６から出力させた後に、照明装置１５ａ〜１５ｄ、３６、３７、４０を発光させてＣＣＤカメラ１１による写真撮影を実行し、撮影された画像をハードディスク６６に記録する（ステップＳ４−２）。
【００６６】
このとき、撮影ブース３０内の中間位置よりも後方の部分には、照明装置３７及び発光窓４２ｂからのフラッシュ光が照射されるため、撮影に必要な十分な強さで利用者を照明することができる。
【００６７】
ステップＳ４−２における写真撮影は、例えば３回繰り返して実行される。
【００６８】
ステップＳ５において、所定回数のアップ撮影（ステップＳ３）及び全身撮影（ステップＳ４）が終了したと判断された場合には、処理はステップＳ１０に移行し、未了と判断された場合には、処理はステップＳ３に戻される。
【００６９】
ステップＳ２において、「マニュアルモード」の選択肢が選択された場合には、ＣＰＵ６２は、タッチパネル式モニタ１３上にカーテン指定画面８１を表示させて、利用者による背景指定の受付を行う（ステップＳ６）。
【００７０】
図１０（ｂ）は、カーテン指定画面８１の一例であり、カーテンボックス３５に収容される各カーテンに対応する選択肢８２ａ〜８２ｃ及びカーテン無しの選択肢８２ｄが表示されており、利用者が画面８１上のいずれかの選択肢８２ａ〜８２ｄに指先でタッチすることでカーテンの選択が受け付けられる。
【００７１】
上記によりカーテンの指定が行われると、カーテン制御装置６８は、指定されなかったカーテンをカーテンボックス３５に収容するとともに指定されたカーテンを繰り出すことでカーテンのセッティングを行う（ステップＳ７）。なお、ステップＳ６でカーテン無しの選択肢８２ｄが選択された場合には、カーテン制御装置６８は、全てのカーテンをカーテンボックス３５に収容させる。
【００７２】
続いて、ＣＰＵ６２は、「３、２、１」などのカウントダウン音声の出力を行った後に、照明装置１５ａ〜１５ｄ、３６、３７、４０を発光させてＣＣＤカメラ１１による写真撮影を実行し、撮影された画像をハードディスク６６に記録する（ステップＳ８）。
【００７３】
ここで、ステップＳ６において選択肢８２ａ〜８２ｃのいずれかが選択されていた場合には、利用者は撮影ブース３０の中間位置よりも前方の位置でステップＳ７でセッティングされたカーテンを背景に撮影を行うことになる。この場合、利用者は、横棒部材１４、縦棒部材３８、横棒部材３９を用いて面白味のあるポーズで写真撮影を行うことができる。また、撮影ブース３０内の中間位置よりも前方の部分には、照明装置３６及び発光窓４２ａからのフラッシュ光が照射されるため、撮影に必要な十分な強さで利用者の照明が行われることになる。
【００７４】
また、ステップＳ６において選択肢８２ｄが選択されていた場合には、利用者は、カーテンが展開されていない撮影ブース３０内の任意の位置で好みのポーズを取って写真撮影を行うことになる。この場合、利用者は、横棒部材１４、縦棒部材３８、横棒部材３９、ジャングルジム構造体５０を用いて面白いポーズを取って写真撮影を行うことができる。また、撮影ブース３０内の中間位置よりも前方の部分には、照明装置３６及び発光窓４２ａからのフラッシュ光が照射され、撮影ブース３０内の中間位置よりも後方の部分には、照明装置３７及び発光窓４２ｂからのフラッシュ光が照射されるため、利用者が撮影ブース３０内の中間位置の前方、後方のいずれの位置にいる場合でも撮影に必要な十分な強さで利用者の照明が行われることになる。
【００７５】
「マニュアルモード」の撮影セッションにおいては、所定回数、例えば、７回の写真撮影が可能になっており、ステップＳ９において、所定回数の写真撮影が終了したと判断された場合には、処理はステップＳ１０に移行し、未了と判断された場合には、処理はステップＳ６に戻される。
【００７６】
撮影セッション（ステップＳ３〜Ｓ９）が終了すると、ＣＰＵ６２は、タッチパネル式モニタ１３上に「次はらくがきだよ」などの利用者を第２筐体２０の両側面に設けられたスペースに誘導するためのメッセージを表示させた後、編集入力の受付（ステップＳ１０）、及び、レイアウトの受付（ステップＳ１１）のステップを順次実行する。
【００７７】
編集入力の受付のステップ（ステップＳ１０）では、撮影セッションにおいて撮影された画像をタッチパネル式モニタ２２に表示させ、利用者によるタッチペン２３ａ、２３ｂの操作に基づいて、上記画像に対する線画描画、スタンプ画像の貼付、フレーム処理などの編集が行われ、レイアウト受付のステップ（ステップＳ１１）では、撮影され、或いは更に、ステップＳ１０における編集が加えられた画像、及び、推奨レイアウトがタッチパネル式モニタ２２上に表示され、利用者によるタッチペン２３ａ、２３ｂの操作に基づいて、印刷を行う画像、及び、レイアウトの指定が受け付けられる。
【００７８】
その後、選択された画像、及び、レイアウトのデータは、ＣＰＵ６２によりプリンター７２に送信されて写真プリントの印刷（ステップＳ１２）が実行され、印刷された写真プリントが写真排出口２５から利用者に提供される。
【００７９】
図１１は、本発明の他の実施形態に係る自動写真撮影装置が備える照明装置４０ａの構成を示す断面説明図である。
【００８０】
図示されるように、この照明装置４０ａは、上記照明装置４０と同様の発光体４１及び発光窓４２ａ、４２ｂを備えていることに加え、発光体４１の周りに回転可能に取り付けられた反射部材４３を備えている。
【００８１】
このような照明装置４０ａを備える自動写真撮影装置では、カーテンボックス３５のいずれかのカーテンが展開されている場合又は利用者を撮影ブース３０内の中間位置よりも前方に誘導して撮影を行う場合には、照明制御装置６９が図１１（ａ）に示す角度に反射部材４３を回転させ、発光体４１からのフラッシュ光が主として発光窓４２ａから撮影ブース３０内の中間位置よりも前方に向けて照射されるようにし、カーテンボックス３５の全てのカーテンが収容されている場合又は利用者を撮影ブース３０内の中間位置よりも後方に誘導して撮影を行う場合には、照明制御装置６９が図１１（ｂ）に示す角度に反射部材４３を回転させ、発光体４１からのフラッシュ光が主として発光窓４２ｂから撮影ブース３０内の中間位置よりも後方に向けて照射されるように構成することが可能であり、この場合には、同一の光量の発光体４１が使用された場合でも、より大きい光量で利用者を照明することが可能になる。
【００８２】
なお、照明装置４０ａの外径形状及び撮影ブース３０内における配置位置は、上記照明装置４０と同様とすることができる。
【００８３】
以上、本発明の一実施形態に係る自動写真撮影装置を例に本発明の説明を行ったが、本発明は上記実施形態に限定されるものではなく、特許請求の範囲の記載内において種々の改変が可能である。
【００８４】
例えば、上記実施形態では、第１照明手段及び第２照明手段が共通の発光体（発光部材）４１からの照明光を照射する場合について説明したが、第１照明手段、第２照明手段がそれぞれ別個の発光部材からの照明光を照射するように構成することも可能である。
【００８５】
また上記実施形態では、利用者の撮影ブース内における位置やカーテンボックスのいずれかのカーテンがＣＣＤカメラ１１の撮影視野内に展開されているか否かに関わらず、照明装置３６及び３７の双方からフラッシュ光が照射される場合について説明したが、カーテンボックス３５のいずれかのカーテンが展開されている場合又は利用者を撮影ブース３０の中間位置よりも前方に誘導して撮影を行う場合には、照明装置３６のみがフラッシュ光を照射し、カーテンボックス３５の全てのカーテンが収容されている場合又は利用者を撮影ブース３０の中間位置よりも後方に誘導して撮影を行う場合には、照明装置３７のみがフラッシュ光を照射するようにすることも可能である。
【００８６】
また、上記実施形態では、ジャングルジム構造体５０及び照明装置４０の双方を備える自動写真撮影装置を例として説明したが、これらのいずれか一方のみを備える自動写真撮影装置とすることも可能であり、ジャングルジム構造体５０を備え、照明装置４０を備えない自動写真撮影装置においても、利用者が下方横棒部材に座ったり、上方横棒部材に掴まって下方横棒部材上に立ち上がったりなど様々な面白いポーズで写真撮影を行うことが可能となり、或いは、撮影ブース内の空間を立体的に使うことが可能となって、多人数の利用者がそれぞれ面白いポーズで一度に撮影を行うことが可能となるなどの作用効果が達成される。
【００８７】
また、上記実施形態では、ジャングルジム構造体５０が鉛直に立設された支柱５１を備える場合について説明したが、支柱５１のそれぞれを同一の方向又は異なる方向に傾斜乃至湾曲させて立設することも可能である。同様に、水平に対して傾斜し、或いは、湾曲した下方横棒部材５２ａ、上方横棒部材５２ｂ、５２ｃを使用することも可能である。
【００８８】
また、上記実施形態では、ジャングルジム構造体５０が１つの下方横棒部材５２ａ（１組の下方横棒部材５２ａ１〜５２ａ３）を有する場合について説明したが、下方横棒部材を２つ以上設けることも可能である。同様に、上記実施形態では、ジャングルジム構造体５０が異なる高さに取り付けられた２つの上方横棒部材５２ｂ及び５２ｃ（２組の上方横棒部材５２ｂ１〜５２ｂ３、５２ｃ２〜５２ｃ３）を有する場合について説明したが、上方横棒部材を１つ（１組）とすることも可能であり、或いは、上方横棒部材を３つ（３組）以上設けることも可能である。
【図面の簡単な説明】
【００８９】
【図１】本発明の一実施形態に係る自動写真撮影装置の構成を示す斜視説明図。
【図２】撮影ブース内から見た第１筐体の正面図。
【図３】撮影ブース内から見たジャングルジム構造体の正面図。
【図４】（ａ）は照明装置の構成を示す斜視説明図、（ｂ）は照明装置の断面説明図。
【図５】ジャングルジム構造体の構成を示す斜視説明図。
【図６】ジャングルジム構造体の使用態様の一例を示す説明図。
【図７】ジャングルジム構造体の他の態様を示す説明図。
【図８】本発明の一実施形態に係る自動写真撮影装置のシステム構成を示す説明図。
【図９】本発明の一実施形態に係る自動写真撮影装置の動作を示すフローチャート。
【図１０】（ａ）は撮影モード選択画面の一例を示す説明図、（ｂ）はカーテン指定画面の一例を示す説明図。
【図１１】本発明の他の実施形態に係る自動写真撮影装置が備える照明装置の構成を示す断面説明図。
【符号の説明】
【００９０】
１・・・自動写真撮影装置、１０・・・第１筐体、１１・・・ＣＣＤカメラ、１２・・・液晶モニタ、１３・・・タッチパネル式モニタ、１４・・・横棒部材、１５ａ〜１５ｄ・・・照明装置、１６・・・スピーカー、１７・・・コイン投入口、２０・・・第２筐体、２２・・・タッチパネル式モニタ、２３ａ、２３ｂ・・・タッチペン、２４・・・フレーム、２５・・・写真排出口、３０・・・撮影ブース、３１ａ、３１ｂ・・・側壁、３２・・・天井部、３３・・・フレーム、３４・・・出入口、３５・・・カーテンボックス、３６・・・照明装置、３７・・・照明装置、３８・・・縦棒部材、３９・・・横棒部材、４０、４０ａ・・・照明装置、４１・・・発光体、４２ａ、４２ｂ・・・発光窓、４３・・・反射部材、５０、５０ａ〜５０ｄ・・・ジャングルジム構造体、５１・・・支柱、５２ａ・・・下方横棒部材、５２ｂ、５２ｃ・・・上方横棒部材、６０・・・パーソナルコンピュータ、６１・・・バス、６２・・・ＣＰＵ、６３・・・ＲＯＭ、６４・・・ＲＡＭ、６５・・・インターフェース、６６・・・ハードディスク、６７・・・ＣＤ−ＲＯＭドライブ、６８・・・カーテン制御装置、６９・・・照明制御装置、７０・・・音響制御装置、７１・・・コイン処理装置、７２・・・プリンター、８０・・・撮影モード選択画面、８１・・・カーテン指定画面
【図１】
2006313175.tif 000003
【図２】
2006313175.tif 000004
【図３】
2006313175.tif 000005
【図４】
2006313175.tif 000006
【図５】
2006313175.tif 000007
【図６】
2006313175.tif 000008
【図７】
2006313175.tif 000009
【図８】
2006313175.tif 000010
【図９】
2006313175.tif 000011
【図１０】
2006313175.tif 000012
【図１１】
2006313175.tif 000013